(57)【要約】【課題】不用意に無線の設定を変更しないことにより、消費電流の増大を抑制すること。【解決手段】第１無線通信部１０１は、２Ｇ／３Ｇネットワーク等の移動通信網を介して無線通信を行う。第１無線状態判断部１０２は、受信信号を解析して、移動通信網の通信圏外であるか通信圏内であるかを判断する。時間測定部１０３は、第１無線状態判断部１０２で通信圏外であると判断した際に時間の測定を開始するとともに、所定時間内に第１無線状態判断部１０２で通信圏内であると判断しない場合には、所定時間経過した旨を第２無線設定部１０４へ通知する。第２無線設定部１０４は、時間測定部１０３から所定時間経過した旨の通知を受けた際に、通信の設定を変更する。第２無線通信部１０５は、変更後の設定で無線ＬＡＮ等により通信を行う。【選択図】図１
2009044656.tif 000002
【特許請求の範囲】
【請求項１】
受信信号を解析して移動通信網の通信圏外であるか通信圏内であるかを判断する無線状態判断手段と、
前記無線状態判断手段が通信圏外であると判断した際に時間の測定を開始する時間測定手段と、
前記時間測定手段が測定を開始してから所定時間経過するまでに前記無線状態判断手段で通信圏内であると判断しない場合に通信の設定を変更する無線設定手段と、
を具備する移動無線装置。
【請求項２】
前記無線状態判断手段は、第１通信方式の移動通信網の通信圏外または通信圏内であるか否かを判断し、
前記無線設定手段は、前記第１通信方式と異なる通信方式である第２通信方式の通信の設定を変更する請求項１記載の移動無線装置。
【請求項３】
基地局を識別する識別子の内、所定の前記識別子をあらかじめ記憶する識別子記憶手段を具備し、
前記時間測定手段は、前記無線状態判断手段が通信圏外であると判断した際に接続していた基地局の前記識別子と前記識別子記憶手段に記憶している前記識別子とが一致した際に時間の測定を開始する請求項１または請求項２記載の移動無線装置。
【請求項４】
前記識別子記憶手段は、国内から国外へ移動する交通機関へ乗るためのゲートで通信可能な基地局の前記識別子を記憶し、
前記無線設定手段は、国外で通信可能な設定に変更する請求項３記載の移動無線装置。
【請求項５】
電源のオン及び電源のオフを検出する電源管理手段と、
前記電源管理手段で電源のオフを検出した時刻から電源のオンを検出した時刻までの時間を求める時間測定手段と、
求めた前記時間が所定時間以上の場合に通信の設定を変更する無線設定手段と、
を具備する移動無線装置。
【請求項６】
基地局を識別する識別子の内、所定の前記識別子をあらかじめ記憶する識別子記憶手段を具備し、
前記時間測定手段は、前記電源管理手段で電源のオフを検出した際に接続していた基地局の前記識別子と前記識別子記憶手段に記憶している前記識別子とが一致した際に前記時間を求める請求項５記載の移動無線装置。
【請求項７】
前記識別子記憶手段は、国内から国外へ移動する交通機関へ乗るためのゲートで通信可能な基地局の前記識別子を記憶し、
前記無線設定手段は、国外で通信可能な設定に変更する請求項６記載の移動無線装置。
【請求項８】
アクセスポイントを識別する識別子の内、所定の前記識別子をあらかじめ記憶する識別子記憶手段と、
アクセスポイントの検索を実行する検索手段と、
前記検索により発見したアクセスポイントの前記識別子を発見する毎に順次更新して記憶する検索結果記憶手段とを具備し、
前記時間測定手段は、前記電源管理手段で電源のオフを検出した際に前記検索結果記憶手段に記憶されている前記識別子と前記識別子記憶手段に記憶されている前記識別子とが一致した場合に前記時間を求める請求項５記載の移動無線装置。
【請求項９】
前記識別子記憶手段は、国内から国外へ移動する交通機関へ乗るためのゲートで通信可能なアクセスポイントの前記識別子を記憶し、
前記無線設定手段は、国外で通信可能な設定に変更する請求項８記載の移動無線装置。
【請求項１０】
通信相手を識別する情報である識別子の内、所定の前記識別子をあらかじめ記憶する識別子記憶手段と、
受信信号を解析して通信圏外であるか通信圏内であるかを判断する無線状態判断手段と、
前記無線状態判断手段で通信圏外であると判断した際に通信相手の検索を実行する検索手段と、
前記検索により発見した通信相手の前記識別子を発見する毎に順次更新して記憶する検索結果記憶手段と、
前記識別子記憶手段に記憶している前記識別子と前記検索により通信相手が発見できない場合に前記検索結果記憶手段に記憶している前記識別子とが一致する場合に時間の測定を開始する時間測定手段と、
測定する前記時間が所定時間経過するまでに前記検索手段で通信相手を発見できない場合に通信の設定を変更する無線設定手段と、
を具備する移動無線装置。
【請求項１１】
前記識別子記憶手段は、国内から国外へ移動する交通機関へ乗るためのゲートで通信可能なアクセスポイントの前記識別子を記憶し、
前記無線設定手段は、国外で通信可能な設定に変更する請求項１０記載の移動無線装置。
【請求項１２】
受信信号を解析して移動通信網の通信圏外であるか通信圏内であるかを判断するステップと、
通信圏外であると判断した際に時間の測定を開始するステップと、
前記測定を開始してから所定時間経過するまでに通信圏内であると判断しない場合に通信装置の設定を変更するステップと、
を具備する通信装置の設定変更方法。
【請求項１３】
電源のオン及び電源のオフを検出するステップと、
前記電源のオフを検出した時刻から前記電源のオンを検出した時刻までの時間を求めるステップと、
求めた前記時間が所定時間以上の場合に通信装置の設定を変更するステップと、
を具備する通信装置の設定変更方法。
【請求項１４】
通信相手を識別する情報である識別子の内、所定の前記識別子を識別子記憶手段にあらかじめ記憶する識別子記憶手段と、
受信信号を解析して通信圏外であるか通信圏内であるかを判断するステップと、
通信圏外であると判断した際に通信相手の検索を実行するステップと、
前記検索により発見した通信相手の前記識別子を発見する毎に検索結果記憶手段に順次更新して記憶するステップと、
前記識別子記憶手段に記憶している前記識別子と前記検索により通信相手が発見できない場合に前記検索結果記憶手段に記憶している前記識別子とが一致する場合に時間の測定を開始するステップと、
測定する前記時間が所定時間経過するまでに前記検索により通信相手を発見できない場合に通信装置の設定を変更するステップと、
を具備する通信装置の設定変更方法。
【発明の詳細な説明】
【技術分野】
【０００１】
本発明は、移動無線装置及び通信装置の設定変更方法に関し、例えば国内から国外へ移動した際に通信の設定を変更する移動無線装置及び通信装置の設定変更方法に関する。
【背景技術】
【０００２】
無線ＬＡＮ等により２．４ＧＨｚ帯の電波を利用する際には、各国によって法規制が異なるため、利用できる通信チャネルと送信最大電力は国毎に異なる。具体的には、日本では１ｃｈから１４ｃｈまで利用することが可能であるが、北米では１ｃｈから１１ｃｈまで、また、フランスでは１０ｃｈから１３ｃｈまで利用することが可能である。このため、２．４ＧＨｚ帯の電波を利用する無線移動機は、利用する国に応じて電波特性を変更する必要がある。このため、従来は、無線アクセスポイントから報知される情報により、現在存在している国が分かるまで、無線移動機から電波を発しない方法を規定している（例えば、非特許文献１）。
【０００３】
非特許文献１の無線アクセスポイントの検索では、無線移動機からアクセスポイント検索用のプローブ要求（Probe Request）を送信するアクティブ・スキャン（Active Scan）ではなく、無線アクセスポイントからのビーコン情報の受信を待つだけのパッシブ・スキャン（Passive Scan）を用いる。パッシブ・スキャンでは、アクセスポイントから報知されるビーコン（Beacon）を受信するまで無線を監視する必要がある。一般的にアクセスポイントのビーコンは１００ｍｓ周期で報知されているため、一つの通信チャネルあたり少なくとも１００ｍｓ以上監視し続ける必要がある。一方、アクティブ・スキャンを用いる検索方法では、無線移動機からプローブ要求を報知することにより、プローブ要求を受信した無線アクセスポイントがビーコンと同一の情報を無線移動機に返信する。このプローブ要求を送信してからビーコント同一の情報を受信するまでの時間は、無線状況にも依存するが、数十ｍｓ程度であり、パッシブ・スキャンにおける１００ｍｓと比較して非常に小さい値となる。無線移動機におけるこの監視時間が長くなると、無線移動機はその分長く起動している必要があるため、消費電力が増大する。すなわち、無線移動機は、パッシブ・スキャンを用いる検索では、アクティブ・スキャンを用いる場合と比較して、アクセスポイント検索時における消費電流が増大する。
【０００４】
また、従来、無線移動機は、２Ｇ／３Ｇネットワークなどの移動通信網、または、ＧＰＳ(Global Positioning System)から現在存在する国の情報である国情報を取得し、取得した国情報に応じて無線の設定を変更するものが知られている（例えば、特許文献１及び特許文献２）。
【０００５】
また、従来、無線ＬＡＮと移動通信網の両方を用いて通信可能なデュアル無線移動機は、移動通信網の無線インタフェースを利用できなくする無線ＬＡＮシングルモード機能を有している。従って、デュアル無線移動機は、無線ＬＡＮシングルモード時には２Ｇ／３Ｇネットワーク等の移動通信網を利用することができない。
【非特許文献１】ＩＥＥＥ８０２．１１ｄＳｔｄ．
【特許文献１】特開２００２−１５９０４３号公報
【特許文献２】特開２００４−２７４７２３号公報
【発明の開示】
【発明が解決しようとする課題】
【０００６】
しかしながら、従来の装置においては、無線移動機は、地下やビル内に移動すると、２Ｇ／３Ｇネットワーク等の移動通信網やＧＰＳの通信範囲外になる状態が多々起こりえる。この際、無線移動機は、２Ｇ／３Ｇネットワークなどの移動通信網またはＧＰＳから国情報を取得することができないので、直ちに非特許文献１に記載のアクセスポイントの検索を実行する。また、デュアル無線移動機は、無線ＬＡＮシングルモード時には、２Ｇ／３Ｇネットワーク等の移動通信網またはＧＰＳから国情報を取得することができないので、直ちに非特許文献１に記載のアクセスポイントの検索を実行する。従って、無線移動機及びデュアル無線移動機は、無線の設定を変更する必要がない場合にもパッシブ・スキャンを実施することにより、消費電流が増大するという問題がある。
【０００７】
本発明はかかる点に鑑みてなされたものであり、不用意に無線の設定を変更しないことにより、消費電流の増大を抑制することができる移動無線装置及び通信装置の設定変更方法を提供することを目的とする。
【課題を解決するための手段】
【０００８】
本発明の移動無線装置は、受信信号を解析して移動通信網の通信圏外であるか通信圏内であるかを判断する無線状態判断手段と、前記無線状態判断手段が通信圏外であると判断した際に時間の測定を開始する時間測定手段と、前記時間測定手段が測定を開始してから所定時間経過するまでに前記無線状態判断手段で通信圏内であると判断しない場合に通信の設定を変更する無線設定手段と、を具備する構成を採る。
【０００９】
また、本発明の移動無線装置は、電源のオン及び電源のオフを検出する電源管理手段と、前記電源管理手段で電源のオフを検出した時刻から電源のオンを検出した時刻までの時間を求める時間測定手段と、求めた前記時間が所定時間以上の場合に通信の設定を変更する無線設定手段と、を具備する構成を採る。
【００１０】
また、本発明の移動無線装置は、通信相手を識別する情報である識別子の内、所定の前記識別子をあらかじめ記憶する識別子記憶手段と、受信信号を解析して通信圏外であるか通信圏内であるかを判断する無線状態判断手段と、前記無線状態判断手段で通信圏外であると判断した際に通信相手の検索を実行する検索手段と、前記検索により発見した通信相手の前記識別子を発見する毎に順次更新して記憶する検索結果記憶手段と、前記識別子記憶手段に記憶している前記識別子と前記検索により通信相手が発見できない場合に前記検索結果記憶手段に記憶している前記識別子とが一致する場合に時間の測定を開始する時間測定手段と、測定する前記時間が所定時間経過するまでに前記検索手段で通信相手を発見できない場合に通信の設定を変更する無線設定手段と、を具備する構成を採る。
【００１１】
本発明の通信装置の設定変更方法は、受信信号を解析して移動通信網の通信圏外であるか通信圏内であるかを判断するステップと、通信圏外であると判断した際に時間の測定を開始するステップと、前記測定を開始してから所定時間経過するまでに通信圏内であると判断しない場合に通信装置の設定を変更するステップと、を具備するようにした。
【００１２】
また、本発明の通信装置の設定変更方法は、電源のオン及び電源のオフを検出するステップと、前記電源のオフを検出した時刻から前記電源のオンを検出した時刻までの時間を求めるステップと、求めた前記時間が所定時間以上の場合に通信装置の設定を変更するステップと、を具備するようにした。
【００１３】
また、本発明の通信装置の設定変更方法は、通信相手を識別する情報である識別子の内、所定の前記識別子を識別子記憶手段にあらかじめ記憶する識別子記憶手段と、受信信号を解析して通信圏外であるか通信圏内であるかを判断するステップと、通信圏外であると判断した際に通信相手の検索を実行するステップと、前記検索により発見した通信相手の前記識別子を発見する毎に検索結果記憶手段に順次更新して記憶するステップと、前記識別子記憶手段に記憶している前記識別子と前記検索により通信相手が発見できない場合に前記検索結果記憶手段に記憶している前記識別子とが一致する場合に時間の測定を開始するステップと、測定する前記時間が所定時間経過するまでに前記検索により通信相手を発見できない場合に通信装置の設定を変更するステップと、を具備するようにした。
【発明の効果】
【００１４】
本発明によれば、不用意に無線の設定を変更しないことにより、消費電流の増大を抑制することができる。
【発明を実施するための最良の形態】
【００１５】
以下、本発明の実施の形態について、図面を参照して詳細に説明する。本発明の実施の形態では、説明の簡略化のため、移動通信網を介して国情報を取得する方法を記載するが、本発明はこれに限らず、ＧＰＳやＦＭ(Frequency Modulation)等から取得することも可能である。
【００１６】
(実施の形態１)
図１は、本実施の形態に係る移動無線装置１００の構成を示すブロック図である。
【００１７】
第１無線通信部１０１は、２Ｇ／３Ｇネットワーク等の移動通信網を介して無線通信を行う。そして、第１無線通信部１０１は、無線通信により受信した信号を第１無線状態判断部１０２へ出力する。
【００１８】
第１無線状態判断部１０２は、第１無線通信部１０１から入力した受信信号を解析することにより、移動通信網の通信圏外であるかまたは通信圏内であるかを判断する。具体的には、第１無線状態判断部１０２は、受信信号を解析することにより、受信信号レベルがしきい値未満である場合、または受信信号に含まれる制御情報を取得することができない場合に移動通信網の通信圏外であると判断する。一方、第１無線状態判断部１０２は、受信信号を解析することにより、受信信号レベルがしきい値以上である場合、または受信信号に含まれる制御情報を取得できた場合に移動通信網の通信圏内であると判断する。そして、第１無線状態判断部１０２は、判断結果を時間測定部１０３へ出力する。
【００１９】
時間測定部１０３は、第１無線状態判断部１０２から通信圏外である判断結果が入力した場合に、時間の測定を開始する。そして、時間測定部１０３は、時間の測定を開始してから所定時間経過するまでの間に、第１無線状態判断部１０２から通信圏内である判断結果が入力しない場合に、所定時間経過した旨を第２無線設定部１０４へ通知する。
【００２０】
第２無線設定部１０４は、時間測定部１０３から所定時間経過した旨の通知を受けた際に、国内で使用可能な無線設定パラメータから国外で使用可能な無線設定パラメータに変更する。例えば、第２無線設定部１０４は、通信チャネル、送信最大電力、及びスキャン（Scan）方法等の無線設定パラメータを国内の設定から国外の設定に変更する。そして、第２無線設定部１０４は、変更した無線設定パラメータで通信を行うことを第２無線通信部１０５へ指示する。
【００２１】
第２無線通信部１０５は、第２無線設定部１０４の指示に従って、無線ＬＡＮ等の２．４ＧＨｚ帯を用いて無線通信を行う。
【００２２】
次に、移動無線装置１００の動作について、図２を用いて説明する。図２は、移動無線装置１００の動作を示すフロー図である。
【００２３】
最初に、第１無線状態判断部１０２は、受信信号を解析することにより、移動通信網の通信圏外であるかを判断する（ステップＳＴ２０１）。
【００２４】
移動通信網の通信圏外でない場合、即ち通信圏内に存在している場合は、第１無線状態判断部１０２は、従来と同様に第１無線通信部１０１を介して国情報を取得し、第２無線設定部１０４は、取得した国情報の国に応じた無線設定を行う。
【００２５】
一方、移動通信網の通信圏外であると判断した場合は、時間測定部１０３は、時間の測定を開始する。
【００２６】
次に、時間測定部１０３は、一定時間経過したか否かを判定する（ステップＳＴ２０２）。
【００２７】
一定時間経過していない場合には、時間測定部１０３は、移動通信網の通信圏内である判断結果が入力したか否か、即ち通信圏内に復帰したか否かを判定する（ステップＳＴ２０３）。
【００２８】
そして、通信圏内に復帰した場合には、時間測定部１０３は、時間の測定を中止するとともに、移動通信装置１００は、ステップＳＴ２０１に処理を戻す。一方、通信圏内に復帰していない場合には、時間測定部１０３は、時間の測定を継続する。
【００２９】
また、移動通信網の通信圏内に復帰することなく一定時間経過した場合には、第２無線設定部１０４は、国外で使用可能な無線設定に変更し、第２無線通信部１０５は、国外で使用可能な無線設定に従って通信を行う（ステップＳＴ２０４）。ここで、海外向けの無線設定とは、通信チャネル、送信最大電力、及びスキャン（Scan）方法等を各国の設定にする合わせることである。また、スキャン方法とは、パッシブ・スキャンまたはアクティブ・スキャンの何れかである。
【００３０】
国外で使用可能な無線の設定により移動無線装置１００が動作しているときに、第１無線通信部１０１が移動通信網の通信圏内に入った場合には、第１無線通信部１０１は、国情報を取得し、第２無線設定部１０４は、取得した国情報に応じた無線設定を行い、第２無線通信部１０５は、第２無線設定部１０４の設定に従って通信を行う。一方、移動無線装置１００が移動通信網の通信圏外である場合には、第２無線通信部１０５は国外の無線設定のまま動作を継続する。
【００３１】
このように、本実施の形態によれば、第１無線状態判断部１０２が通信圏外であると判断した後に直ちに国外で使用可能な無線の設定に変更せずに、一定時間以上経過しても通信圏内に復帰しない場合に、国外で使用可能な無線の設定に変更するので、不用意に無線の設定を変更しないことにより、消費電流の増大を抑制することができる。
【００３２】
(実施の形態２)
図３は、本発明の実施の形態２に係る移動無線装置３００の構成を示すブロック図である。
【００３３】
図３に示す移動無線装置３００は、図１に示す実施の形態１に係る移動無線装置１００に対して、基地局識別子記憶部３０１及び基地局識別子判断部３０２を追加し、時間測定部１０３の代わりに時間測定部３０３を有する。なお、図３において、図１と同一構成である部分には同一の符号を付してその説明を省略する。
【００３４】
第１無線通信部１０１は、２Ｇ／３Ｇネットワーク等の移動通信網を介して無線通信を行う。そして、第１無線通信部１０１は、無線通信により受信した信号を第１無線状態判断部１０２及び基地局識別子判断部３０２へ出力する。
【００３５】
第１無線状態判断部１０２は、第１無線通信部１０１から入力した受信信号を解析することにより、移動通信網の通信圏外であるかまたは通信圏内であるかを判断する。具体的には、第１無線状態判断部１０２は、受信信号を解析することにより、受信信号レベルがしきい値未満である場合、または受信信号に含まれる制御情報を取得することができない場合に移動通信網の通信圏外であると判断する。一方、第１無線状態判断部１０２は、受信信号を解析することにより、受信信号レベルがしきい値以上である場合、または受信信号に含まれる制御情報を取得できた場合に移動通信網の通信圏内であると判断する。そして、第１無線状態判断部１０２は、判断結果を基地局識別子判断部３０２及び時間測定部３０３へ出力する。
【００３６】
基地局識別子記憶部３０１は、移動体通信網における特定の基地局を識別するための基地局識別子をデータベースとして保持している。例えば、基地局識別子記憶部３０１は、国内から国外へ移動する交通機関へ乗るためのゲートで通信可能な基地局の基地局識別子を保持している。この場合の交通機関へ乗るためのゲートとは、航空機または船舶等のターミナルに設けられるゲートである。
【００３７】
基地局識別子判断部３０２は、第１無線通信部１０１から入力した受信信号から基地局を識別するための基地局識別子を抽出するとともに、抽出した基地局識別子を保持する。また、基地局識別子判断部３０２は、第１無線状態判断部１０２から通信圏外である判断結果が入力した際に、通信圏外になる直前まで接続していた基地局、即ち第１無線状態判断部１０２で通信圏外と判断した際に接続していた基地局の基地局識別子と基地局識別子記憶部３０１に記憶している基地局識別子とを比較して、基地局識別子が一致するか否か判断する。そして、基地局識別子判断部３０２は、基地局識別子が一致する場合に、時間測定部３０３に対して時間の測定を開始することを指示する。
【００３８】
時間測定部３０３は、基地局識別子判断部３０２からの指示に従って時間の測定を開始する。そして、時間測定部３０３は、時間の測定を開始してから所定時間経過するまでの間に、第１無線状態判断部１０２から通信圏内である判断結果が入力しない場合に、所定時間経過した旨を第２無線設定部１０４へ通知する。また、時間測定部３０３は、通信圏内である判断結果が入力したか否かを監視する所定時間を基地局識別子記憶部３０１に記憶する基地局識別子に応じて変更することができる。
【００３９】
第２無線設定部１０４は、時間測定部３０３から所定時間経過した旨の通知を受けた際に、国内で使用可能な無線設定パラメータから国外で使用可能な無線設定パラメータに変更する。例えば、第２無線設定部１０４は、通信チャネル、送信最大電力、及びスキャン（Scan）方法等の無線設定パラメータを国内の設定から国外の設定に変更する。そして、第２無線設定部１０４は、変更した無線設定パラメータで通信を行うことを第２無線通信部１０５へ指示する。
【００４０】
次に、移動無線装置３００の動作について、図４を用いて説明する。図４は、移動無線装置３００の動作を示すフロー図である。
【００４１】
最初に、第１無線状態判断部１０２は、移動通信網の通信圏外であるかを判断する（ステップＳＴ４０１）。
【００４２】
移動通信網の通信圏外でない場合、即ち通信圏内に存在している場合は、第１無線状態判断部１０２は、従来と同様に第１無線通信部１０１を介して国情報を取得し、第２無線設定部１０４は、取得した国情報の国に応じた無線設定を行う。
【００４３】
一方、移動通信網の通信圏外であると判断した場合は、基地局識別子判断部３０２は、受信信号から抽出した基地局識別子と基地局識別子記憶部３０１に記憶している基地局識別子とが一致するか否か判断する（ステップＳＴ４０２）。
【００４４】
基地局識別子が一致しない場合に、移動無線装置３００は、ステップＳＴ４０１に処理を戻し、基地局識別子が一致する場合に、時間測定部３０３は、時間の測定を開始する。
【００４５】
次に、時間測定部３０３は、一定時間経過したか否かを判定する（ステップＳＴ４０３）。
【００４６】
一定時間経過していない場合には、時間測定部３０３は、移動通信網の通信圏内である判断結果が入力したか否か、即ち通信圏内に復帰したか否かを判定する（ステップＳＴ４０４）。
【００４７】
そして、通信圏内に復帰した場合には、時間測定部３０３は、時間の測定を中止するとともに、移動通信装置３００は、ステップＳＴ４０１に処理を戻す。一方、通信圏内に復帰していない場合には、時間測定部３０３は、時間の測定を継続する。
【００４８】
また、移動通信網の通信圏内に復帰することなく一定時間経過した場合には、第２無線設定部１０４は、国外で使用可能な無線設定に変更し、第２無線通信部１０５は、国外で使用可能な無線設定に従って通信を行う（ステップＳＴ４０５）。
【００４９】
国外で使用可能な無線の設定により移動無線装置３００が動作しているときに、第１無線通信部１０１が移動通信網の通信圏内に入った場合には、第１無線通信部１０１は、国情報を取得し、第２無線設定部１０４は、取得した国情報に応じた無線設定を行い、第２無線通信部１０５は、第２無線設定部１０４の設定に従って通信を行う。一方、移動無線装置３００が移動通信網の通信圏外である場合には、第２無線通信部１０５は国外の無線設定のまま動作を継続する。
【００５０】
因みに、空港や港等の場所には既知の基地局が割り当てられており、基地局識別子記憶部３０１に、空港や港等の基地局識別子を保存することにより、利用者が空港や港から海外へ移動したことを検出することができる。
【００５１】
このように、本実施の形態によれば、上記実施の形態１の効果に加えて、あらかじめ記憶している基地局識別子と通信圏外になる直前に接続していた基地局識別子とが一致する場合に時間の測定を開始するので、国内から国外への移動を正確に把握することができる。また、本実施の形態によれば、所定時間経過した旨を第２無線設定部１０４へ通知する所定時間を基地局識別子に応じて変更する場合には、移動時間を考慮して国内から国外への移動を判断することができ、国内から国外への移動をさらに正確に把握することができる。
【００５２】
（実施の形態３）
図５は、本発明の実施の形態に係る移動無線装置５００の構成を示すブロック図である。
【００５３】
電源管理部５０１は、移動無線装置５００の電源オンまたは電源オフを検出する。そして、電源管理部５０１は、検出結果を時間測定部５０２へ出力する。
【００５４】
時間測定部５０２は、電源管理部５０１から電源オフの検出結果が入力した際の時刻を保存する。また、時間測定部５０２は、電源管理部５０１から電源オンの検出結果が入力した際に、電源オフの検出結果が入力した時刻から電源オンの検出結果が入力した時刻までの時間を求める。また、時間測定部５０２は、求めた時間が所定時間以上であるか否かを判断する。そして、時間測定部５０２は、所定時間以上である場合に、所定時間以上である旨を無線設定部５０３へ通知する。
【００５５】
無線設定部５０３は、時間測定部５０２から所定時間以上である旨の通知を受けた際に、国内で使用可能な無線設定パラメータから国外で使用可能な無線設定パラメータに変更する。例えば、無線設定部５０３は、通信チャネル、送信最大電力、及びスキャン（Scan）方法等の無線設定パラメータを国内の設定から国外の設定に変更する。そして、無線設定部５０３は、変更した無線設定パラメータで通信を行うことを無線通信部５０４へ指示する。
【００５６】
無線通信部５０４は、無線設定部５０３の指示に従って、無線ＬＡＮ等の２．４ＧＨｚ帯を用いて無線通信を行う。
【００５７】
次に、移動無線装置５００の動作について、図６を用いて説明する。図６は、移動無線装置５００の動作を示すフロー図である。
【００５８】
最初に、電源管理部５０１は、電源オフを検出する（ステップＳＴ６０１）。
【００５９】
次に、時間測定部５０２は、電源オフの検出結果が入力した時刻を保存する（ステップＳＴ６０２）。
【００６０】
次に、電源管理部５０１は、電源オンを検出する（ステップＳＴ６０３）。
【００６１】
次に、時間測定部５０２は、保存した時刻から電源オンの検出結果が入力した時刻までの時間が、所定時間以上であるか否かを判断する（ステップＳＴ６０４）。
【００６２】
所定時間以上である場合には、無線設定部５０３は、国外で使用可能な無線設定に変更する（ステップＳＴ６０５）。
【００６３】
このように、本実施の形態によれば、航空機内などでは無線移動機の電源がオフされることを利用して、電源オフを検出してから電源オンを検出するまでに所定時間経過している場合に国外で使用可能な無線の設定に変更することにより、不用意に無線の設定を変更しないことにより、消費電流の増大を抑制することができる。また、本実施の形態によれば、複数の無線通信部を必要とせずに、無線移動機の国内から国外への移動を検出することができる。また、無線ＬＡＮシングルモードで動作しているデュアル無線移動機においても同様の方法により有効に海外への移動を検出することができる。
【００６４】
（実施の形態４）
図７は、本発明の実施の形態に係る移動無線装置７００の構成を示すブロック図である。
【００６５】
図７に示す移動無線装置７００は、図１に示す実施の形態１に係る移動無線装置１００に対して、第１無線状態判断部１０２を除き、基地局識別子記憶部７０１、基地局識別子判断部７０２及び電源管理部７０３を追加し、時間測定部１０３の代わりに時間測定部７０４を有する。なお、図７において、図１と同一構成である部分には同一の符号を付してその説明を省略する。
【００６６】
第１無線通信部１０１は、２Ｇ／３Ｇネットワーク等の移動通信網を介して無線通信を行う。そして、第１無線通信部１０１は、無線通信により受信した信号を基地局識別子判断部７０２へ出力する。
【００６７】
基地局識別子記憶部７０１は、移動体通信網における特定の基地局を識別するための基地局識別子をデータベースとして保持している。例えば、基地局識別子記憶部７０１は、国内から国外へ移動する交通機関へ乗るためのゲートで通信可能な基地局の基地局識別子を保持している。
【００６８】
基地局識別子判断部７０２は、第１無線通信部１０１から入力した受信信号から基地局を識別するための基地局識別子を抽出するとともに、抽出した基地局識別子を保持する。また、基地局識別子判断部７０２は、電源管理部７０３から電源オフの検出結果が入力した際に、電源オフになる直前まで接続していた基地局、即ち電源管理部７０３で電源のオフを検出した際に接続していた基地局の基地局識別子と基地局識別子記憶部７０１に記憶している基地局識別子とを比較する。そして、基地局識別子判断部７０２は、比較の結果、電源オフになる直前まで接続していた基地局の基地局識別子と基地局識別子記憶部７０１に記憶している基地局識別子とが一致する場合に、電源オフ時の時刻の保存を時間測定部７０４に指示する。
【００６９】
電源管理部７０３は、移動無線装置７００の電源オフを検出し、電源オフの検出結果を基地局識別子判断部７０２及び時間測定部７０４へ出力する。また、電源管理部７０３は、移動無線装置７００の電源オンを検出し、電源オンの検出結果を時間測定部７０４に出力する。
【００７０】
時間測定部７０４は、基地局識別子判断部７０２の指示に従って電源オフ時の時刻を保存する。また、時間測定部７０４は、電源管理部７０３から電源オンの検出結果が入力した際に、電源オフの検出結果が入力した時刻から電源オンの検出結果が入力した時刻までの時間を求める。また、時間測定部７０４は、求めた時間が所定時間以上であるか否かを判断する。そして、時間測定部７０４は、所定時間以上であると判断した場合には、所定時間以上である旨を第２無線設定部１０４へ通知する。また、時間測定部７０４は、電源オフの検出結果が入力した時刻から電源オンの検出結果が入力した時刻までの時間と比較する所定時間を基地局識別子記憶部７０１に記憶する基地局識別子に応じて変更することができる。
【００７１】
第２無線設定部１０４は、時間測定部７０４から所定時間経過した旨の通知を受けた際に、国内で使用可能な無線設定パラメータから国外で使用可能な無線設定パラメータに変更する。例えば、第２無線設定部１０４は、通信チャネル、送信最大電力、及びスキャン（Scan）方法等の無線設定パラメータを国内の設定から国外の設定に変更する。そして、第２無線設定部１０４は、変更した無線設定パラメータで通信を行うことを第２無線通信部１０５へ指示する。
【００７２】
次に、移動無線装置７００の動作について、図８を用いて説明する。図８は、移動無線装置７００の動作を示すフロー図である。
【００７３】
最初に、電源管理部７０３は、電源オフを検出する（ステップＳＴ８０１）。
【００７４】
次に、基地局識別子判断部７０２は、受信信号から抽出した基地局識別子と基地局識別子記憶部７０１に記憶している基地局識別子とが一致するか否か判断する（ステップＳＴ８０２）。
【００７５】
基地局識別子が一致していない場合には、移動無線装置７００は、処理を終了する。一方、基地局識別子が一致する場合には、基地局識別子判断部７０２は、時間測定部７０４に対して、電源オフの検出結果が入力した時刻の保存を指示し、時間測定部７０４は、電源オフの検出結果が入力した時刻を保存する（ステップＳＴ８０３）。
【００７６】
次に、電源管理部７０３は、電源オンを検出する（ステップＳＴ８０４）。
【００７７】
次に、時間測定部７０４は、保存している電源オフ時の時刻と電源オンの検出結果が入力した時刻までの時間が所定時間以上であるか否かを判断する（ステップＳＴ８０５）。
【００７８】
所定定時間以上である場合には、第２無線設定部１０４は、国外で使用可能な無線設定に変更する（ステップＳＴ８０６）。
【００７９】
一方、所定時間以上ではない場合には、移動無線装置７００は、処理を終了する。
【００８０】
国外で使用可能な無線の設定により移動無線装置７００が動作しているときに、第１無線通信部１０１が移動通信網の通信圏内に入った場合には、第１無線通信部１０１は、国情報を取得し、第２無線設定部１０４は、取得した国情報に応じた無線設定を行い、第２無線通信部１０５は、第２無線設定部１０４の設定に従って通信を行う。一方、移動無線装置７００が移動通信網の通信圏外である場合には、第２無線通信部１０５は国外の無線設定のまま動作を継続する。
【００８１】
このように、本実施の形態によれば、電源オフを検出してから電源オンを検出するまでに所定時間経過している場合に国外で使用可能な無線の設定に変更することにより、不用意に無線の設定を変更しないことにより、消費電流の増大を抑制することができる。また、本実施の形態によれば、あらかじめ記憶している特定の基地局の基地局識別子と電源オフになる直前に接続していた基地局の基地局識別子とが一致する場合に国外で使用可能な無線の設定に変更することにより、国内から国外への移動を正確に把握することができる。また、本実施の形態によれば、所定時間経過した旨を第２無線設定部１０４へ通知する所定時間を基地局識別子に応じて変更する場合には、移動時間を考慮して国内から国外への移動を判断することができ、国内から国外への移動をさらに正確に把握することができる。
【００８２】
（実施の形態５）
図９は、本発明の実施の形態に係る移動無線装置９００の構成を示すブロック図である。
【００８３】
無線通信部９０１は、後述する無線設定部９０８の指示に従って、無線ＬＡＮ等の２．４ＧＨｚ帯を用いて無線通信を行う。そして、無線通信部９０１は、無線通信により受信した信号を無線状態判断部９０２及びＡＰ検索部９０３へ出力する。
【００８４】
無線状態判断部９０２は、無線通信部９０１から入力した受信信号を解析することにより、無線ＬＡＮの通信圏外であるかまたは通信圏内であるかを判断する。具体的には、無線状態判断部９０２は、受信信号を解析することにより、受信信号レベルがしきい値未満である場合、または受信信号に含まれる制御情報を取得することができない場合に無線ＬＡＮの通信圏外であると判断する。一方、無線状態判断部９０２は、受信信号を解析することにより、受信信号レベルがしきい値以上である場合、または受信信号に含まれる制御情報を取得できた場合に無線ＬＡＮの通信圏内であると判断する。そして、無線状態判断部９０２は、判断結果をＡＰ検索部９０３へ出力する。
【００８５】
ＡＰ検索部９０３は、無線ＬＡＮの通信圏外である判断結果が無線状態判断部９０２から入力した際に、無線通信部９０１から入力した受信信号を用いて、定期的に無線ＬＡＮのアクセスポイント（ＡＰ）を検索する。また、ＡＰ検索部９０３は、無線ＬＡＮのアクセスポイントを発見した場合に、アクセスポイント発見の検索結果を時間測定部９０７へ出力する。また、ＡＰ検索部９０３は、無線ＬＡＮのアクセスポイントを発見した場合に、発見したアクセスポイントの識別子であるＡＰ識別子を抽出する。そして、ＡＰ検索部９０３は、抽出したＡＰ識別子をＡＰ検索結果保存部９０４に検索の結果として都度保持させる。ＡＰ検索結果保存部９０４に保持させる検索結果には、移動無線装置９００の周囲に存在する無線ＬＡＮのアクセスポイントのＡＰ識別子が含まれる。また、ＡＰ検索部９０３は、定期的な検索の結果として無線ＬＡＮのアクセスポイントを発見できない場合、移動無線装置９００の周囲に無線ＬＡＮのアクセスポイントが存在していない判断結果をＡＰ識別子判断部９０６へ出力する。ここで、ＡＰ識別子とは、例えばＳＳＩＤ（Service Set Identifier)である。
【００８６】
ＡＰ検索結果保存部９０４は、ＡＰ検索部９０３からＡＰ識別子が入力する都度、ＡＰ識別子を更新して保持することにより、検索の結果を更新する。
【００８７】
ＡＰ識別子記憶部９０５は、ＡＰ識別子をデータベースとして保持している。例えば、ＡＰ識別子記憶部９０５は、国内から国外へ移動する交通機関へ乗るためのゲートで通信可能なアクセスポイントのＡＰ識別子を保持している。
【００８８】
ＡＰ識別子判断部９０６は、移動無線装置９００の周囲に無線ＬＡＮのアクセスポイントが存在していない判断結果がＡＰ検索部９０３から入力した際に、ＡＰ検索結果保存部９０４に保持されているＡＰ識別子と、ＡＰ識別子記憶部９０５に記憶しているＡＰ識別子とが一致するか否かを判断する。そして、ＡＰ識別子判断部９０５は、ＡＰ識別子が一致する場合に、時間測定部９０７に対して時間の測定の開始を指示する。
【００８９】
時間測定部９０７は、ＡＰ識別子判断部９０６の指示に従って時間の測定を開始する。また、時間測定部９０７は、時間の測定を開始してから所定時間経過するまでの間に、ＡＰ検索部９０３からアクセスポイント発見の検索結果が入力しない場合に、所定時間経過した旨を無線設定部９０８へ通知する。また、時間測定部９０７は、アクセスポイント発見の検索結果が入力したか否かを監視する所定時間をＡＰ識別子記憶部９０５に記憶しているＡＰ識別子に応じて変更することができる。
【００９０】
無線設定部９０８は、時間測定部９０７から所定時間経過した旨の通知を受けた際に、国内で使用可能な無線設定パラメータから国外で使用可能な無線設定パラメータに変更する。例えば、無線設定部９０８は、通信チャネル、送信最大電力、及びスキャン（Scan）方法等の無線設定パラメータを国内の設定から国外の設定に変更する。そして、無線設定部９０８は、変更した無線設定パラメータで通信を行うことを無線通信部９０１へ指示する。
【００９１】
次に、移動無線装置９００の動作について、図１０を用いて説明する。図１０は、移動無線装置９００の動作を示すフロー図である。
【００９２】
最初に、無線状態判断部９０２は、無線ＬＡＮの通信圏外であるものと判断する（ステップＳＴ１００１）。
【００９３】
次に、ＡＰ検索部９０３は、無線ＬＡＮのアクセスポイントを定期的に検索する。
【００９４】
次に、ＡＰ検索部９０３が周囲に無線ＬＡＮのアクセスポイントが存在していないと判断した際に、ＡＰ識別子判断部９０６は、ＡＰ検索結果保存部９０４に保持されているＡＰ識別子と、ＡＰ識別子記憶部９０５に記憶しているＡＰ識別子とを比較し、ＡＰ識別子が一致するか否かを判断する（ステップＳＴ１００２）。
【００９５】
ＡＰ識別子が一致しない場合には、移動無線装置９００は、処理を終了し、ＡＰ識別子が一致する場合には、時間測定部９０７は、時間の測定を開始する（ステップＳＴ１００３）。
【００９６】
次に、時間測定部９０７は、所定時間経過したか否かを判定する（ステップＳＴ１００４）。
【００９７】
所定時間経過していない場合には、時間測定部９０７は、無線ＬＡＮのアクセスポイントを発見した検索結果が入力したか否かを判定する（ステップＳＴ１００５）。
【００９８】
所定時間内に無線ＬＡＮのアクセスポイントを発見した場合には、移動無線装置９００は、処理を終了する。一方、所定時間内に無線ＬＡＮのアクセスポイントが発見できずに所定時間が経過した場合には、時間測定部９０７は、所定の時間が経過したことを無線設定部９０８に通知する。
【００９９】
次に、無線設定部９０８は、国外で使用可能な無線設定に変更し、無線通信部９０１は、国外で使用可能な無線設定に従って通信を行う（ステップＳＴ１００６）。
【０１００】
このように、本実施の形態によれば、無線状態判断部９０２が通信圏外であると判断した後に直ちに国外で使用可能な無線の設定に変更せずに、所定時間以上経過した後に国外で使用可能な無線の設定に変更することにより、不用意に無線の設定を変更しないことにより、消費電流の増大を抑制することができる。また、本実施の形態によれば、あらかじめ記憶しているＡＰ識別子と通信圏外になる直前に接続していたアクセスポイントのＡＰ識別子とが一致する場合に時間の測定を開始するので、国内から国外への移動を正確に把握することができる。また、本実施の形態によれば、所定時間経過した旨を無線設定部９０８へ通知する所定時間をＡＰ識別子に応じて変更する場合には、移動時間を考慮して国内から国外への移動を判断することができ、国内から国外への移動をさらに正確に把握することができる。また、本実施の形態によれば、複数の無線通信部を必要とせずに、無線移動機の国内から国外への移動を検出することができる。これは、航空機内などでは無線移動機の電源がオフされるため、これを利用して無線移動機の海外への移動を有効に検出することができる。また、無線ＬＡＮシングルモードで動作しているデュアル無線移動機においても同様の方法により有効に海外への移動を検出することができる。
【０１０１】
（実施の形態６）
図１１は、本発明の実施の形態に係る移動無線装置１１００の構成を示すブロック図である。
【０１０２】
無線通信部１１０１は、後述する無線設定部１１０８の指示に従って、無線ＬＡＮ等の２．４ＧＨｚ帯を用いて無線通信を行う。そして、無線通信部１１０１は、無線通信により受信した信号をＡＰ検索部１１０２へ出力する。
【０１０３】
ＡＰ検索部１１０２は、無線通信部１１０１から入力した受信信号を用いて、定期的に無線ＬＡＮのアクセスポイント（ＡＰ）を検索する。また、ＡＰ検索部１１０２は、無線ＬＡＮのアクセスポイントを発見した場合に、発見したアクセスポイントのＡＰ識別子を抽出する。そして、ＡＰ検索部１１０２は、抽出したＡＰ識別子をＡＰ検索結果保存部１１０３に検索の結果として都度保持させる。ＡＰ検索結果保存部１１０３に保持させる検索結果には、移動無線装置１１００の周囲に存在する無線ＬＡＮのアクセスポイントのＡＰ識別子が含まれる。ここで、ＡＰ識別子とは、例えばＳＳＩＤである。
【０１０４】
ＡＰ検索結果保存部１１０３は、ＡＰ検索部１１０２からＡＰ識別子が入力する都度、ＡＰ識別子を更新して保持することにより、検索の結果を更新する。
【０１０５】
ＡＰ識別子記憶部１１０４は、ＡＰ識別子をデータベースとして保持している。例えば、ＡＰ識別子記憶部１１０４は、国内から国外へ移動する交通機関へ乗るためのゲートで通信可能なアクセスポイントのＡＰ識別子を保持している。
【０１０６】
電源管理部１１０５は、移動無線装置１１００の電源オフの検出結果をＡＰ識別子判断部１１０６へ出力する。また、電源管理部１１０５は、電源オンの検出結果を時間測定部１１０７へ出力する。
【０１０７】
ＡＰ識別子判断部１１０６は、電源管理部１１０５から電源オフの検出結果が入力した場合に、ＡＰ検索結果保存部１１０３に保持されているＡＰ識別子と、ＡＰ識別子記憶部１１０４に記憶しているＡＰ識別子とが一致するか否かを判断する。そして、ＡＰ識別子判断部１１０６は、ＡＰ識別子が一致する場合に、時間測定部１１０７に対して時刻の保持を指示する。
【０１０８】
時間測定部１１０７は、ＡＰ識別子判断部１１０６の指示に従って時刻を保持する。また、時間測定部１１０７は、電源管理部１１０５から電源オンの検出結果が入力した際に、電源オフの検出結果が入力した時刻から電源オンの検出結果が入力した時刻までの時間を求める。また、時間測定部１１０７は、求めた時間が所定時間以上であるか否かを判断する。そして、時間測定部１１０７は、所定時間以上であると判断した場合には、所定時間以上である旨を無線設定部１１０８へ通知する。また、時間測定部１１０７は、電源オフの検出結果が入力した時刻から電源オンの検出結果が入力した時刻までの時間と比較する所定時間をＡＰ識別子記憶部１１０４に記憶するＡＰ識別子に応じて変更することができる。
【０１０９】
無線設定部１１０８は、時間測定部１１０７から所定時間経過した旨の通知を受けた際に、国内で使用可能な無線設定パラメータから国外で使用可能な無線設定パラメータに変更する。そして、無線設定部１１０８は、変更した無線設定パラメータで通信を行うことを無線通信部１１０１へ指示する。
【０１１０】
次に、移動無線装置１１００の動作について、図１２を用いて説明する。図１２は、移動無線装置１１００の動作を示すフロー図である。
【０１１１】
最初に、ＡＰ検索部１１０２は、アクセスポイントを検索し、ＡＰ検索結果保存部１１０３は、検索によって発見したアクセスポイントのＡＰ識別子を保持する（ステップＳＴ１２０１）。
【０１１２】
次に、ＡＰ識別子判断部１１０６は、電源管理部１１０５が電源オフを検出したか否かを判断する（ステップＳＴ１２０２）。
【０１１３】
電源オフを検出しない場合には、ＡＰ検索結果保存部１１０３は、ＡＰ識別子の保存を継続する。一方、電源オフを検出した場合には、ＡＰ識別子判断部１１０６は、ＡＰ検索結果保存部１１０３に保持されているＡＰ識別子と、ＡＰ識別子記憶部１１０４に記憶しているＡＰ識別子とを比較し、ＡＰ識別子が一致するか否かを判断する（ステップＳＴ１２０３）。
【０１１４】
ＡＰ識別子が一致しない場合には、移動無線装置１１００は、処理を終了し、ＡＰ識別子が一致する場合には、時間測定部１１０７は、電源管理部１１０５で電源オフを検出した時刻を保存する（ステップＳＴ１２０４）。
【０１１５】
次に、電源管理部１１０５は、電源オンを検出する（ステップＳＴ１２０５）。
【０１１６】
次に、時間測定部１１０７は、保存した時刻から電源オンの検出結果が入力した時刻までの時間が所定時間以上であるか否かを判断する（ステップＳＴ１２０６）。
【０１１７】
所定時間以上でない場合には、移動無線装置１１００は、処理を終了する。一方、所定時間以上である場合には、無線設定部１１０８は、国外で使用可能な無線設定に変更し、無線通信部１１０１は、国外で使用可能な無線設定に従って通信を行う（ステップＳＴ１２０７）。
【０１１８】
このように、本実施の形態によれば、電源オフを検出してから電源オンを検出するまでに所定時間経過している場合に国外で使用可能な無線の設定に変更することにより、不用意に無線の設定を変更しないことにより、消費電流の増大を抑制することができる。また、本実施の形態によれば、複数の無線通信部を必要とせずに、無線移動機の国内から国外への移動を検出することができる。これは、航空機内などでは無線移動機の電源がオフされるため、これを利用して無線移動機の海外への移動を有効に検出することができる。また、無線ＬＡＮシングルモードで動作しているデュアル無線移動機においても同様の方法により有効に海外への移動を検出することができる。また、本実施の形態によれば、あらかじめ記憶しているＡＰ識別子と通信圏外になる直前に接続していたアクセスポイントのＡＰ識別子とが一致する場合に時間の測定を開始するので、国内から国外への移動を正確に把握することができる。また、本実施の形態によれば、所定時間経過した旨を無線設定部９０８へ通知する所定時間をＡＰ識別子に応じて変更する場合には、移動時間を考慮して国内から国外への移動を判断することができ、国内から国外への移動をさらに正確に把握することができる。
【産業上の利用可能性】
【０１１９】
本発明にかかる移動無線装置及び通信装置の設定変更方法は、例えば国内から国外への移動を検出するのに好適である。
【図面の簡単な説明】
【０１２０】
【図１】本発明の実施の形態１に係る移動無線装置の構成を示すブロック図
【図２】本発明の実施の形態１に係る移動無線装置の動作を示すフロー図
【図３】本発明の実施の形態２に係る移動無線装置の構成を示すブロック図
【図４】本発明の実施の形態２に係る移動無線装置の動作を示すフロー図
【図５】本発明の実施の形態３に係る移動無線装置の構成を示すブロック図
【図６】本発明の実施の形態３に係る移動無線装置の動作を示すフロー図
【図７】本発明の実施の形態４に係る移動無線装置の構成を示すブロック図
【図８】本発明の実施の形態４に係る移動無線装置の動作を示すフロー図
【図９】本発明の実施の形態５に係る移動無線装置の構成を示すブロック図
【図１０】本発明の実施の形態５に係る移動無線装置の動作を示すフロー図
【図１１】本発明の実施の形態６に係る移動無線装置の構成を示すブロック図
【図１２】本発明の実施の形態６に係る移動無線装置の動作を示すフロー図
【符号の説明】
【０１２１】
１００  移動無線装置
１０１  第１無線通信部
１０２  第１無線状態判断部
１０３  時間測定部
１０４  第２無線設定部
１０５  第２無線通信部
【図１】
2009044656.tif 000003
【図２】
2009044656.tif 000004
【図３】
2009044656.tif 000005
【図４】
2009044656.tif 000006
【図５】
2009044656.tif 000007
【図６】
2009044656.tif 000008
【図７】
2009044656.tif 000009
【図８】
2009044656.tif 000010
【図９】
2009044656.tif 000011
【図１０】
2009044656.tif 000012
【図１１】
2009044656.tif 000013
【図１２】
2009044656.tif 000014